(57)【要約】      （修正有）【課題】殆どのゴルフプレイヤーが簡単にゴルフクラブのヘッドのスィートスポットにボールを当接させることが可能なゴルフクラブの芯への打撃する当接方法を提供する。【解決手段】ゴルフの練習方法が、ウッドクラブの表面に塗料を塗り当該クラブ面にゴルフボールを当て、最も飛んだ位置に印を付けこの位置にゴルフボールが当たるように練習する。アイアンクラブでも同様とする。【選択図】図８
2017099637.tif 000002
【特許請求の範囲】
【請求項１】
ウッドクラブの表面に、塗料を塗り、当該クラブ面にゴルフボールを当て、最も飛んだ位置に印を付け、この位置に当たるようにすることを特徴とするゴルフの練習方法。
【請求項２】
アイアンクラブの表面に、塗料を塗り、当該クラブ面にゴルフボールを当て、最も飛んだ位置に印を付け、この位置に当たるようにすることを特徴とするゴルフの練習方法。
【発明の詳細な説明】
【技術分野】
【０００１】
本発明は、ゴルフプレイ時にゴルフクラブのボールの芯（スィートスポット）への当接方法であって、確実にその芯にボールが当接するような位置を見出すゴルフクラブの芯への当接方法に関する。
【背景技術】
【０００２】
ゴルフクラブでボールを最適位置（芯）に当てる位置を（通常スイートスポット）と言うが、普通のアマチュアのプレイャーはこの位置に当接するようにゴルフクラブを振って当てるのは、通常、このスイートスポットに当てることは難しい。
【０００３】
従来のような工夫（技術）としては、ゴルフボールが、スィートスポットに正確に当たった際、その出力、擬音、数値等に変換して、表示器、スピーカー、ランプ等の装置によってプレイャーに知らせる練習道具がある（特許文献１）。
また、ゴルフクラブフェースのスィートスポット領域でゴルフボールを打撃するとある音響音を発し、ゴルフクラブフェーのスィートスポットの領域以外の領域でゴルフボールを打撃すると、前記スィートスポット領域から発生する音響音と区別され得る音響音を発するゴルフクラブもある（特許文献２）。
或いはゴルフクラブのスィートスポットを位置決めし、マーク付けする装置（特許文献３）やゴルフクラブのスィートエリアの広さをクラブごとに定量化できる装置（特許文献４）が知られている。
【先行技術文献】
【特許文献】
【０００４】
【特許文献１】特開２０１２―０５５５３７号公報
【特許文献２】特開昭５０−０６６３３５号公報
【特許文献３】実開平０４−０４７４６６号公報
【特許文献４】特開２００５―１４３５５７号公報
【発明の概要】
【発明が解決しようとする課題】
【０００５】
通常、ゴルフプレイャーが解決しようとする問題点は、ゴルフプレイャーによってゴルフクラブのヘッドへのボールの当接位置が異なるため、上手、下手がはっきりしやすいことである。
引用文献１では、光や擬音、或いは数値等を表示器やスピーカー等の報知装置を使用しなければならず装置が大げさである。引用文献２でスィートスポットは音響音で確認しなければならずスィートスポット位置を予め確認することは出来ない。また、引用文献３では、本案の狙いに近いが、予めスィートスポット当接位置を訓練することは出来ない。引用文献４は定量化が難しい、等の問題がある。
【０００６】
何れにしてもボールをスィートスポット位置に当接するのは困難である。本願発明はこのような課題に鑑みてなされたものであり、殆どのゴルフプレイヤーが簡単にゴルフクラブのヘッドのスィートスポットにボールを当接させることが可能なゴルフクラブの芯への打撃する当接方法を提供することを目的としている。
【課題を解決するための手段】
【０００７】
即ち、上記する課題を解決するために、本願発明の請求項１に係る発明は、ゴルフの練習方法が、ウッドクラブのクラブ表面に、塗料を塗り、当該クラブヘッド面に、ゴルフボールを当て、最も飛んだ位置に印を付け、この位置に当たるように練習して最適位置を見つけることを特徴とする。
【０００８】
請求項２に記載に係る発明は、ゴルフの練習方法がアイアンゴルフクラブのクラブ表面に、塗料を塗り、当該クラブヘッド面にゴルフボールを当て、最も飛んだ位置に印を付け、この位置に当接するように練習して最適位置を見つけることを特徴とする。
【発明の効果】
【０００９】
上記請求項１及び請求項２に係る発明によれば、ウッドクラブでも、アイアンフクラブでもクラブヘッド面に塗料を塗るだけで、ゴルフプレイャーは何時でも最適位置、即ち、スィートスポットにボールを当てることが出来るようになる。従って、スコアを飛躍的に向上させることが出来る。そして、ボール１０の弾道も良くなり、アウトになることも少なくなる。また、ウッドクラブでもアイアンヘッドの場合も飛距離が伸びるだけでなく飛距離の調整がしやすくなり、スコアも良くなる。
【図面の簡単な説明】
【００１０】
【図１】図１は、本願発明で使用するゴルフクラブのテイーショット時にゴルフボールを打つ時の瞬間を示す斜視図である。
【図２】図２（Ａ）は、従来のウッドのゴルフクラブのヘッド部の斜視図、（Ｂ）は、ボールを当てる状態の斜視図である。
【図３】図３は、従来のウッドのゴルフクラブで初心者等が打った痕跡を示すヘッド部の斜視図である。
【図４】図４（Ａ）は、従来のアイアンのゴルフクラブのヘッド部の斜視図、４（Ｂ）は、ボールを当てる状態の斜視図である。
【図５】図５は、従来のアイアンのゴルフクラブで初心者等が打った痕跡を示すヘッド部の斜視図である
【図６】図６（Ａ）は、ゴルフクラブのボールの当接面に塗る塗料具１と蓋２の全体斜視図であり、図６（Ｂ）は、塗料具１の蓋の平面図と片側側面図である。
【図７】図７（Ａ）、塗料を塗った状態のウッドのゴルフクラブのヘッド部へ塗料を塗った状態の斜視図であり、図７（Ｂ）は、ボールを当てる状態の斜視図である。
【図８】図８（Ａ）は、塗料を塗った状態のウッドクラブのヘッドへ初心者等がボールを当てた状態の斜視図であり、図８（Ｂ）は、ほぼスィートスポット近辺へ初心者がボールを当てた状態の斜視図である。
【図９】図９（Ａ）は、ゴルフクラブのボールの当接面に塗料を塗った全体斜視図であり、図９  （Ｂ）は、塗料を塗ったアイアンクラブにボールを当てる直前の斜視図である。
【図１０】図１０は、塗料を塗った状態のアイアンのゴルフクラブのスイートポット近くへ初心者等がボールを当てた痕跡を示す状態の斜視図である。
【図１１】図１１は、ほぼスィートスポット近辺へ初心者が当てた痕跡を示す斜視図である。
【発明を実施するための形態】
【００１１】
以下、本願発明の具体的な実施の形態につて、図面を参照して説明する。
図１は、本願発明で使用するゴルフクラブのティーショット時に、ゴルフボールを打つ時の瞬間を示す斜視図である。この図は、最初に打つティーショット用のウッドクラブ３または長距離用に打つ所謂アイアンクラブ４と言われるクラブでボール１０（図８（Ｂ）参照）を打つ状態を示す。そしてなるべく遠くにボールを飛ばすためのクラブのスィートスポットと言われる所に当てるが、この場合、長距離を飛ばすためには、初心者や経験の浅い人（以下、初心者等とする）が一発でこのスィートスポットに当てるのは難しく、普通は、ボール１０の当たった位置の何処かに痕跡５、５、・・が付く。従って、かなりの練習が必要である。
【００１２】
例えば、図２（Ａ）のように、ウッドクラブ３を使用して、図２（Ｂ）のようにボール１０を当てると、初心者等は、必ずしも遠くまで飛ぶとは限らない。即ち、図３のように、クラブヘッド面３ａの所々に当接し、一定の位置には当接しないのが普通である。
図４（Ａ）や図４（Ｂ）のように、アイアンクラブ４を使用する場合も図３に示すように同様である。
【００１３】
そこで次のような方法で練習する。
まず、塗料を塗ったウッドのゴルフクラブ３を使用して繰り返し練習する。
図６（Ａ）は、ゴルフクラブのボール１０の当接面に塗る塗料を入れた塗料容器１の全体斜視図であり、である。ここで、２は塗料を入れた塗料容器１の蓋である。図６（Ｂ）は、塗料容器１の片側側面図と蓋２の平面図である。
【００１４】
当初は、初心者はクラブのスィートスポット（芯）に当てることはできない。そこで、初心者等は、次のようにする。
図７（Ａ）は、ウッドのゴルフクラブ３のボール１０の当接面３aに塗料を塗った状態の斜視図であり、図７（Ｂ）は，ウッドのゴルフクラブ３の当接面３ａにボール１０を当てる直前の斜視図である。
【００１５】
ボール１０は、このゴルフクラブ３のヘッドの当接面３aに当てるが、上記する図のように、この面３aのどこにスィートスポットがあるのか普通は判らないので、まずこの面に塗料を塗ってゴルフクラブ３を打つ。するとこのクラブのヘッドの面３aに打痕○が付くのでヘッド面のどこにボール１０が当たったか判る。
当初は、図８（Ａ）の○印に示すように様々な位置に当たり痕が付くが、痕跡５にこれを繰り返して最も距離の飛んだ位置がスィートスポットということになるので、常にその位置にボール１０が当たるように練習すれば良い。このように自分が所有するウッドのすべてのゴルフクラブに自己のスィートスポットを○印しておけば自分独自のスィートスポットを確保することが出来る。
【００１６】
次にゴルフクラブが、アイアンクラブの場合について説明する。
図９（Ａ）は、アイアンクラブ４のヘッド部分（当接面）４ａの斜視図であり、図９（Ｂ）は、ボール１０を当てる直前の斜視図である。当初は、図１０では、様々な位置に痕跡５○印が付くが、図11に示すように様々な位置に当たり痕が付くが、徐々にこれを繰り返していくと、最も長く飛んだ位置となるので、そこがスィートスポットということになる。
【００１７】
ボール１０を当てるアイアンクラブのロフトは、通常ゴルフクラブのアイアンクラブは、ボールを飛ばす距離により、種々選択するが、その都度バー（ロフトの角度が異なり、飛ばす距離が短いほどロフトが大きくなる。しかし、予めスィートスポットは独自の位置に設定してあるが、個人の個性によりどの人もその位置で最長の距離が出るとは限らない。  そして、この場合もウッドのゴルフクラブと同様に当初は、様々な位置に打痕跡の○印で示す場合も、これを繰り返して最も距離の飛んだ位置がスィートスポットということになるので、常にその位置にボール１０が当たるように練習すれば良い。このように自分が所有するクラブのすべてのゴルフクラブに自己のスィートスポットを○印しておけば自分独自のスィートスポットを確保することが出来る。
【産業上の利用可能性】
【００１８】
この発明によれば、ゴルフをする人はウッドクラブでもアイアンクラブでもボールを芯に当て易くなるのでゴルフが盛んになり、ゴルフ道具も売れ易くなり、ゴルフ産業も盛んになる。また、ゴルフ場に通う人も多くなり、レストランも盛んになり、関連商品も売れ、老人も含めて雇用人も多くなる。
【符号の説明】
【００１９】
１・・・・塗料容器
２・・・・塗料容器の蓋
３・・・・ウウドクラブ
３ａ・・・ウウドクラブのヘッド面
４・・・・アイアンクラブ
４ａ・・・アイアンクラブのヘッド面
５・・・・打痕
Ｃ・・・・スィートスポット
１０・・・・ゴルフボール
【図１】
2017099637.tif 000003
【図２】
2017099637.tif 000004
【図３】
2017099637.tif 000005
【図４】
2017099637.tif 000006
【図５】
2017099637.tif 000007
【図６】
2017099637.tif 000008
【図７】
2017099637.tif 000009
【図８】
2017099637.tif 000010
【図９】
2017099637.tif 000011
【図１０】
2017099637.tif 000012
【図１１】
2017099637.tif 000013